(57)【要約】【課題】床面から浮かせて室内の壁面に沿って配置される上部収納ユニットを壁に頼らず、しかも収納ユニットが積層された背高のユニット家具でなくても上部収納ユニットを簡単に壁面に沿って固定支持することができるユニット家具の固定構造を提供する。【解決手段】箱形状の収納ユニットを壁面３００に沿って配置し、少なくとも壁面３００に床面ｆから浮かせて配置される上部収納ユニット１１０を固定支持するユニット家具１０の固定構造１４０であって、前記上部収納ユニット１１０の背面に、背方Ｒに向かって突出する支持具Ｓを設け、前記支持具Ｓを、前記壁面３００に沿って下部より立ち上げた支柱１４２の上部に固定して前記上部収納ユニット１１０を支持する構成としたことを特徴とする。【選択図】図１
2013198685.tif 000002
【特許請求の範囲】
【請求項１】
箱形状の収納ユニットを壁面に沿って配置し、
少なくとも壁面に床面から浮かせて配置される上部収納ユニットを固定支持するユニット家具の固定構造であって、
前記上部収納ユニットの背面に背方に向かって突出する支持具を設け、
前記支持具を、前記壁面に沿って下部より立ち上げた支柱の上部に固定して前記上部収納ユニットを支持する構成とした
ユニット家具の固定構造。
【請求項２】
前記支持具は、
前記上部収納ユニットの側板を該上部収納ユニットの背面より背方に延出させる一方、前記支柱を連結部材により連結させる連結部を備えた延出部分で構成される
請求項１に記載のユニット家具の固定構造。
【請求項３】
前記支柱は、
前記壁面に沿って下部より立ち上げた支柱本体と、
前記支柱本体の上部側に高さ方向にスライド支持されるスライダとから構成され、
前記スライダのスライド動作に基づいて該スライダの頂部を天井突っ張り用として高さ調整させる高さ調整機構を前記支柱本体と前記スライダとの間に備えた
請求項１および２に記載のユニット家具の固定構造。
【請求項４】
前記支柱本体の下部側に高さ方向にスライド支持される下部のスライダを備え、
前記下部のスライダのスライド動作に基づいて該スライダの底部を床面突っ張り用として高さ調整させる高さ調整機構を前記支柱本体と前記下部のスライダとの間に備えた
請求項３に記載のユニット家具の固定構造。
【請求項５】
前記収納ユニットで覆われていない前記支柱の露出部を覆う化粧カバーを備えて構成した
請求項１乃至４に記載のユニット家具の固定構造。
【発明の詳細な説明】
【技術分野】
【０００１】
本発明は、壁面に沿って配置される収納ユニットを床面から浮かせてその壁面に安定して固定支持するユニット家具の固定構造に関する。
【背景技術】
【０００２】
従来よりリビングルーム等の室内には、その室内の大きさや形状に合わせて各種の収納ユニットを組み合わせたユニット家具が壁面に沿って配置されている。ここに用いられるユニット家具は安定した配置が得られるように釘やビスなどの取付部品を用いて壁に固定されている。
【０００３】
ところが、釘やビスなどを固定支持する壁面支持性能が極めて弱い石膏ボードのような壁の場合、この石膏ボードが持つ特性から後付される釘やビスなどの取付部品を強固に支持できず、壁に下地を施工しなければならなかった。特に、収納ユニットを室内の壁面上部に配置する場合は、壁面上部に下地の施工が必要となっていた。
【０００４】
一方、室内に収納ユニットが積み重ねられて床から天井近くまで背高に構成される床置きタイプのユニット家具の場合は、床に自立するため安定しているが、この床置きタイプの場合であっても固定しなければ地震等によって転倒するおそれがあり、転倒による危険を回避するためユニット家具に転倒防止装置が必要となっていた。例えば、ユニット家具の天板とその上方の天井との間に介在させた天井突っ張り装置の上下方向の突っ張り力によりユニット家具を上下方向で固定している(例えば特許文献１参照)。
【０００５】
しかし、天井突っ張り装置を用いてユニット家具を固定する際は、安全性を確保しようとするほど上下方向の突っ張り力が高まり、ユニット家具は座屈変形しやすくなり、天板や側板に変形や破損が生じ、天井突っ張り装置が外れることがある。このため、収納ユニットの座屈強度を高める一例として補強部材を兼ねた中仕切板を収納ユニットに組み込むことにより収納ユニット自体の強度を高めるようにした吊戸棚が提案されている(例えば特許文献２参照)。この場合は壁面支持性能の弱い石膏ボードのような壁には適用できず、壁に吊戸棚用の下地を要するいわゆる壁に頼った構成となっていた。
【０００６】
また、ユニット家具の上部を多くの固定アジャスター(天井突っ張り装置)で支持し、ユニット家具の下部を沈み防止具により支持することにより壁面の支持に頼らず、ユニット家具の転倒を防止する壁面収納構造が提案されている(例えば特許文献３参照)。
【先行技術文献】
【特許文献】
【０００７】
【特許文献１】実用新案登録第３０１５２２３号
【特許文献２】特開平１０−５０６２号
【特許文献３】特許第４７９３１３５号
【発明の概要】
【発明が解決しようとする課題】
【０００８】
しかしながら、このような壁面収納構造を用いてユニット家具を配置しようとすると、室内の床面から天井近くまで収納ユニットが積層された背高のユニット家具にしか適用できなかった。特に、この場合は新たに床工事が必要になり、さらに高所での天井突っ張り工事が必要になる。このため、ユニット家具の設置工事が大掛かりで簡単に施工できない問題を有していた。
【０００９】
そこで、本発明の主たる課題は、床面から浮かせて室内の壁面に沿って配置される上部収納ユニットを壁に頼らず、しかも収納ユニットが積層された背高のユニット家具でなくても上部収納ユニットを簡単に壁面に沿って固定支持することができるユニット家具の固定構造を提供することを目的とする。
【課題を解決するための手段】
【００１０】
請求項１に記載した発明は、「箱形状の収納ユニット１１０，１２０，２００を壁面３００に沿って配置し、
少なくとも壁面３００に床面から浮かせて配置される上部収納ユニット１１０を固定支持するユニット家具１０の固定構造１４０であって、
前記上部収納ユニット１１０の背面に背方Ｒに向かって突出する支持具Ｓを設け、
前記支持具Ｓを、前記壁面３００に沿って下部より立ち上げた支柱１４２の上部に固定して前記上部収納ユニット１１０を支持する構成とした」ことを特徴とするユニット家具１０の固定構造１４０である。
【００１１】
本発明では、背方Ｒに向かって突出する支持具Ｓを備えることにより、上部収納ユニット１１０の背面と壁面３００との対向面間に支柱１４２を介在させる空間を確保することができる。そして、この支持具Ｓを介して上部収納ユニット１１０を支柱１４２に支持させることができる。このため、従来のように壁面３００に下地を施工することなく支持具Ｓと支柱１４２を連結させるだけで壁面３００の上部における上部収納ユニット１１０の支持が可能になる。換言すれば、上部収納ユニット１１０を、支柱１４２を介して下部で支える構造であるため、上部収納ユニット１１０を壁に頼らず自立させて設置することができる。
【００１２】
さらに、ユニット家具１０を構成する際に、壁面３００の上部に配置される上部収納ユニット１１０のみを下方より単独に支持する構成とすることも可能である。この場合は、立設した支柱１４２の床面での安定化を確保するため支柱１４２の下部に底板等の脚部を付設した脚部付き支柱に構成するとよい。また、支柱１４２は床面から立ち上げてもよく、下部に備えられた下部収納ユニット１２０から立ち上げてもよい。
【００１３】
請求項２に記載した発明は、請求項１に記載のユニット家具１０の固定構造１４０において、「前記支持具Ｓは、
前記上部収納ユニット１１０の側板１０２，１０３を該上部収納ユニット１１０の背面より背方Ｒに延出させる一方、前記支柱１４２を連結部材１４３により連結させる連結部１４４を備えた延出部分１４１で構成される」ことを特徴とする。
【００１４】
本発明では、上部収納ユニット１１０の背面に少なくとも延出部分１４１を延出させることによって、上部収納ユニット１１０の背面側では壁面３００との間に背板１０５と延出部分１４１と壁面３００とで囲まれる壁面対向空間１４７を形成することができ、この壁面対向空間１４７に支柱１４２を介在させて支柱１４２の上部に上部収納ユニット１１０の延出部分１４１を固定させることができる。換言すれば、壁面３００に上部収納ユニット１１０を取り付けるための下地施工が不要となる。
【００１５】
請求項３に記載した発明は、請求項１および２に記載のユニット家具１０の固定構造１４０において、「前記支柱１４２は、
前記壁面３００に沿って下部より立ち上げた支柱本体１４２ａと、
前記支柱本体１４２ａの上部側に高さ方向にスライド支持されるスライダ１５３とから構成され、
前記スライダ１５３のスライド動作に基づいて該スライダ１５３の頂部を天井突っ張り用として高さ調整させる高さ調整機構１５０を前記支柱本体１４２ａと前記スライダ１５３との間に備えた」ことを特徴とする。
【００１６】
本発明では、支柱本体１４２ａを上下方向に長く設け、この支柱本体１４２ａをガイドフレームに用いてスライダ１５３を高さ方向にスライド許容している。したがって、支柱本体１４２ａにスライダ１５３を昇降させる高さ調整機構１５０を備えれば、スライダ１５３の高さ調整を施すことによる天井突っ張り力によって支柱１４２を床、天井間に垂直に固定できる。即ち、スライダ１５３の頂部を上部収納ユニット１１０の天板１０１よりも高くして天井に当接させれば、支柱１４２の下端が床面で支えられ、これと一体化されているスライダ１５３の頂部が天井で支えられて上部収納ユニット１１０を上下端面で支持するという天井突っ張り装置を兼ねた支持構造を得ることができる。
【００１７】
請求項４に記載した発明は、請求項３に記載のユニット家具１０の固定構造１４０において、「前記支柱本体１４２ａの下部側に高さ方向にスライド支持される下部のスライダ７５３を備え、
前記下部のスライダ７５３のスライド動作に基づいて該スライダ７５３の底部を床面突っ張り用として高さ調整させる高さ調整機構７５０を前記支柱本体１４２ａと前記下部のスライダ７５３との間に備えた」ことを特徴とする。
【００１８】
本発明では、支柱本体１４２ａをガイドフレームに用いて下部のスライダ７５３を高さ方向にスライド許容している。したがって、支柱本体１４２ａに下部のスライダ７５３を昇降させる高さ調整機構７５０を備えれば、下部のスライダ７５３の高さ調整を施すことによる床面ｆ突っ張り力によってユニット家具１０の全体を床面ｆより上方に浮かした状態に固定できる。即ち、下部のスライダ７５３の底部をユニット家具１０の底面よりも低くして床面ｆに当接させれば、下部のスライダ７５３の底部が床面ｆで支えられてフロートタイプのユニット家具１０を構成できる。また、この下部側のスライダ７５３の底面突っ張り作用と上部側のスライダ１５３の天井突っ張り作用とを併用すれば、ユニット家具１０を天井ｃと床面ｆとの間で支持するという安定した支持構造を得ることができる。
【００１９】
請求項５に記載した発明は、請求項１乃至４に記載のユニット家具１０の固定構造１４０において、「前記収納ユニットで覆われていない前記支柱１４２の露出部を覆う化粧カバー１７０を備えて構成した」ことを特徴とする。
【００２０】
本発明では、上部収納ユニット１１０と下部収納ユニット１２０との間に例えば中間収納部１３０としての空間を備えるようなレイアウト構成の場合、正面側Ｆから見ると、上下部は上下の収納ユニット１１０，１２０に隠れて支柱１４２は見えないが、その間の中間収納部１３０は空間のため露出された状態となる。よって、支柱１４２の露出部分を保護すると同時に、美観を高めるためにも化粧カバー１７０を施すのが適している。
【００２１】
この化粧カバー１７０の被覆領域は、上部収納ユニット１１０や下部収納ユニット１２０に覆われていない支柱１４２やスライダ１５３の一部が露出される露出部のみを化粧カバー１７０で部分的に覆うようにしてもよく、支柱１４２やスライダ１５３の露出部とその周辺全体を大きく化粧カバー１７０で覆うようにしてもよい。
【発明の効果】
【００２２】
本発明によれば、床面から浮かせて室内の壁面３００に沿って配置される上部収納ユニット１１０を壁に頼らず、しかも収納ユニットが積層された背高のユニット家具でなくても上部収納ユニット１１０を簡単に壁面３００に沿って固定支持することができるユニット家具１０の固定構造１４０を提供することができる。
【図面の簡単な説明】
【００２３】
【図１】本発明のユニット家具を示す斜視図である。
【図２】本発明の上部収納ユニットを背面側から見た斜視図である。
【図３】本発明の上部収納ユニットと支柱との連結対応状態を示す要部破断斜視図である。
【図４】本発明の支柱本体にスライドガイドされた上部のスライダを示す斜視図である。
【図５】本発明の上部のスライダの高さ調整機構を示す要部破断斜視図である。
【図６】本発明の上部のスライダの頂部を示す要部破断斜視図である。
【図７】本発明の支柱本体にスライドガイドされた下部のスライダを示す斜視図である。
【図８】本発明の下部のスライダの高さ調整機構を示す要部破断斜視図である。
【図９】本発明のフロートタイプのユニット家具に適用した固定構造を示す正面図である。
【発明を実施するための形態】
【００２４】
以下、本発明を図示実施例に従って説明する。図１は本発明の固定構造を用いたユニット家具１０を示す斜視図である。このユニット家具１０はフロントユニット１００とサイドユニット２００とを左右に組み合わせて構成した一例を示している。
【００２５】
フロントユニット１００は、図１の左側に示されるように正面が開放された正面視正方形を有し、その上部空間を仕切板１０８で左右方向に３列に仕切り、その３列の各並列空間をさらに棚板１０６で上下に仕切って合計６箇所の収納部１０７を備えた上部収納ユニット１１０と、この上部収納ユニット１１０と同じ構成を有して下部空間に備えられる下部収納ユニット１２０と、これらの上部収納ユニット１１０と下部収納ユニット１２０との中間部に備えられる中間収納部１３０との上下方向の三段に区画された収納部１１０，１２０，１３０を有している。
【００２６】
このうち、上部収納ユニット１１０は、図１の上部に示されるように天板１０１と、左側板１０２と、右側板１０３と、底板１０４とで上下左右の四面を囲い、かつ背面側を背板１０５で囲い、正面側を開放させた横長の箱形状を有している。
【００２７】
下部収納ユニット１２０は、図１の下部に示されるように上部収納ユニット１１０と同一の構成を有して組み込まれる。このため、下部収納ユニット１２０の構成については上部収納ユニット１１０と同一の符号を付して表すに留め、同一の説明は省略する。
【００２８】
一方、図１の右側に示されるサイドユニット２００は、天板２０１と、左側板２０２と、右側板２０３と、底板２０４とで上下左右の四面を囲い、かつ背面側を背板２０５で囲い、正面側を開放させた縦長の箱形状を有している。この縦長の箱形状中間部を棚板２０６で上下に仕切って上部側と下部側に縦長の収納部２０７を形成している。
【００２９】
これらのフロントユニット１００とサイドユニット２００とが隣接する部分において、フロントユニット１００の右側板１０３とサイドユニット２００の左側板２０２とが平面対接する両側板１０３，２０２の重合部２０８を、図示しない適宜の連結具により連結して一体化している。
【００３０】
ところで、室内の上部に壁面３００に沿って配置される上部収納ユニット１１０に対しては、この上部収納ユニット１１０を支持する固定構造(図２、図３参照)１４０を備えている。同様に、室内の下部に壁面３００に沿って配置される下部収納ユニット１２０に対しては、上述の上部収納ユニット１１０の固定構造１４０と略同構造が備えられている。さらに、ユニット家具１０に対しては、このユニット家具１０の全体を固定する構造として天井突っ張り装置を兼ねた高さ調整機構(図４〜図６参照)１５０を備えている。また、中間収納部１３０に対しては、その正面側を覆う化粧カバー１７０を備えている。
【００３１】
上部収納ユニット１１０の固定構造１４０は、該上部収納ユニット１１０の背面に備えられる支持具Ｓとしての延出部分１４１と、その延出部分１４１を固定支持する支柱１４２とから構成される。ここで、上部収納ユニット１１０の固定構造１４０を明瞭に表すため上部収納ユニット１１０を図２に示すように単一の箱形の構成で表している。
【００３２】
この上部収納ユニット１１０は、両側に平行する側板１０２，１０３を背面よりさらに背方Ｒに延出させた延出部分１４１を有している。これにより、上部収納ユニット１１０の背面側では壁面３００との間に背板１０５と両延出部分１４１と壁面３００とで囲まれる縦長の壁面対向空間１４７を形成することができ、この壁面対向空間１４７に支柱１４２の上部を介在させることができる。ここに介在された支柱１４２の上部に上部収納ユニット１１０の延出部分１４１を固定させて上部収納ユニット１１０を背面側で固定支持するようにしている。図２および図３のＦは正面側を示し、Ｒは背面側(背方)を示している。
【００３３】
さらに、上部収納ユニット１１０の両側に平行する延出部分１４１のうち、上部収納ユニット１１０の例えば左側板１０３より延出させた延出部分１４１を固定される側とし、この延出部分１４１の平面部内面側に、図３に示すように、鬼目ナットを埋設した連結部１４４が備えられている。この連結部１４４は延出部分１４１の内面側上下方向に一定間隔ごとに設けられ、ここに支柱１４２を連結するビスなどの連結部材１４３が連結される。これにより、上部収納ユニット１１０は支柱１４２の上部に複数箇所で連結されて支柱１４２に一体化された状態に支持される。
【００３４】
また、下部収納ユニット１２０についても、上部収納ユニット１１０と同様な構成を有していることから、この下部収納ユニット１２０の図示しない延出部分１４１が上部収納ユニット１１０と同じく連結部材１４３によって下部収納ユニット１２０の背面側で支柱１４２に連結される。
【００３５】
さらに、下部収納ユニット１２０の天板１０１は、この天板１０１の上面が中間収納部１３０での底面となり、収納搭載面兼用に用いられる。そして、この下部収納ユニット１２０の天板１０１は、背方Ｒに延設されて壁面３００に当接させており、支柱１４２との対応部にあっては、天板１０１を支柱１４２の外形状(断面コ形状)と同対応形状に切り欠いて隙間なく対応させている。また、上部収納ユニット１１０の底板１０４についても、該底板１０４の背方端部を壁面３００に当接させている場合は、底板１０４を支柱１４２の外形状(断面コ形状)と同対応形状に切り欠いて隙間なく対応させるとよい。
【００３６】
ここに用いられる支柱１４２は、壁面３００に沿って床面から立ち上げた支柱本体１４２ａと、該支柱本体１４２ａに高さ方向にスライド支持されるスライダ１５３とから構成される。
【００３７】
支柱本体１４２ａは、例えば断面コ形状の上下方向に長いアルミニウムフレームなどで構成し、上部収納ユニット１１０および下部収納ユニット１２０を支える際に、床面から垂直に立ち上げる支持部材として十分な強度が得られる長さと剛性があればよい。さらに、支柱本体１４２ａの断面コ形状を形成している一側片１４９ａと他側片１４９ｂのうち、一側片１４９ａが延出部分１４１と対応する側となり、この一側片１４９ａに、延出部分１４１に備えられている連結部(鬼目ナット)１４４と対向する連結孔１４５を貫通して設けている。この連結孔１４５は連結部１４４に対応させて上下方向に複数個有している。
【００３８】
一方、他側片１４９ｂは延出部分１４１と非対応側となり、連結孔１４５と水平方向で対向する位置で開口するドライバー挿通孔１４６を有している。このドライバー挿通孔１４６に、図示しないドライバーの先端操作部を外部から挿通させて連結部材１４３を回転させ、この回転された連結部材１４３を連結孔１４５に通して連結部１４４に螺着接続できるようにしている。このようにして支柱本体１４２ａの上部に上部収納ユニット１１０を固定するようにしている。なお、支柱本体１４２ａのコ形開放面に対しては高さ方向に支柱補助プレート１４８を部分的に付設して一定の強度を確保するようにしている。
【００３９】
さらに、支柱本体１４２ａのコ形内の空間には、図４に示すように、高さ調整機構１５０とスライダ１５３とが組み込まれている。なお、支柱本体１４２ａの高さ方向中間部に備えられている高さ調整機構１５０の正面側Ｆは支柱本体１４２ａのコ形開放面１５１と対向し、この高さ調整機構１５０には第三者が誤って操作しないように保護カバー１５２が取り付けられている。
【００４０】
そして、支柱本体１４２ａのコ形空間には、図４に示すように、この支柱本体１４２ａのコ形状よりも一回り小さい中空四角柱のスライダ１５３がコ形内で昇降自在にスライド許容されて収納されている。このスライダ１５３は上下方向に長く、支柱本体１４２ａのコ形の内面がスライドガイド面となる。
【００４１】
この支柱本体１４２ａは床面から天井近くまで壁面３００に沿って起立し、支柱本体１４２ａの下端が床面に接して垂直に置かれた状態にある。さらに、支柱本体１４２ａの上端は開放されており、この上端開放部よりスライダ１５３の上端が上方に突出し、そのスライダ１５３の頂部に設けられた頂板１５４よりボルト等の突っ張り軸体１５５を上方に突出させ、さらにその上面に天井突っ張り用の平板カバー１６４を搭載させている。そして、このスライダ１５３の下部が後述する高さ調整機構１５０に連結され、この高さ調整機構１５０の高さ調整操作によってスライダ１５３は上下方向にスライドされる。
【００４２】
上述の高さ調整機構１５０は、図５に示すように、支柱本体１４２ａの内部でスライダ１５３よりも下部の位置に内蔵され、ここにスライダ１５３の高さを調整する操作軸１５６を組み込んだものである。この操作軸１５６は横方向に回転送りさせる縦長の軸体であり、外周面はローレット掛けして回転操作を容易にしている。さらに、この操作軸１５６は上下端部に雌ねじ(図示せず)が切られており、上部を例えば右ねじ・下部を左ねじにした逆ねじ構造を有している。なお、操作軸１５６の上下端部の雌ねじ孔より内方の軸内は、ボルト逃がし用に中空形成されている。
【００４３】
そして、この操作軸１５６の上端部の右ねじ孔に右ねじボルト１５７を垂直に螺着させ、下端部の左ねじ孔に左ねじボルト１５８を垂直に螺着させている。さらに、上部の右ねじボルト１５７はスライダ１５３の底面に固定されている底板１５９の中央部を下方より上方に向けて貫通させた状態で該底板１５９の中央部に形成されている図示しない雌ねじ孔に螺着させている。そして、この底板１５９の螺着部分に対し、底板１５９の上面で右ねじボルト１５７を右ねじナット１６０で螺着固定して、上部の右ねじボルト１５７をその上方のスライダ１５３に連結している。
【００４４】
一方、下部の左ねじボルト１５８は、支柱本体１４２ａの中間高さ位置に略水平に固定設置された四角形状の支持板１６１の中央部を上方より下方に向けて貫通させた状態で該支持板１６１の中央部に形成されている図示しない雌ねじ孔に螺着させている。そして、この支持板１６１の螺着部分に対し、その螺着した左ねじボルト１５８の下部を左ねじナット１６２で螺着固定して、下部の左ねじボルト１５８とその下方の支持板１６１を介した支柱本体１４２ａとを一体化している。
【００４５】
そして、操作軸１５６を水平方向に正回転あるいは逆回転させると、この操作軸１５６を中心に上下に取り付けられた右ねじボルト１５７と左ねじボルト１５８が上下方向で互いに引き合う方向、あるいは離れる方向に回転送りされる。つまり、上下のボルト１５７，１５８を相反する方向に同時に上下移動させる構成である。これにより、操作軸１５６の回転操作に対し、上下方向に２倍のストローク長さで効率よく高さ調整をすることが可能になる。このとき、支柱本体１４２ａに固定されている支持板１６１が上下方向の基準位置となってスライダ１５３は上動または下動する。
【００４６】
一方、スライダ１５３の上端部には、図６にも示すように、スライダ１５３の頂板１５４より上方に突出する突っ張り軸体１５５を備えている。この突っ張り軸体１５５の上方に突出しているボルト頭が、後述する天井突っ張り用の平板カバー１６４に保持され、下方のボルト軸部を頂板１５４に螺着させている。そして、この突っ張り軸体１５５がぐらつかないように頂板１５４の下側に備えた内部ナット１６３で螺着固定している。
【００４７】
上述の平板カバー１６４は、図６に想像線で示すように、突っ張り用の平板１６４ａと、この平板１６４ａの下面中央部に設けられた逆凹形状のボルト頭収納凹部１６４ｂとで構成されている。そして、ボルト頭収納凹部１６４ｂに突っ張り軸体１５５のボルト頭を真下から真上に収納させて平板１６４ａを平面姿勢のまま真上に押し上げて天井ｃに当接させる天井突っ張り構造を有している。この際、平板１６４ａを天井ｃに平面対接させることにより、広い接触面積を確保して天井ｃに安定して突っ張り支持できるようにしている。なお、この平板１６４ａは矩形や円形などの広い接触面積が得られる平板形状であればよい。
【００４８】
化粧カバー１７０は、中間収納部１３０の正面全体を覆う平面視コ形状の奥行きの短い横長の平面カバーで構成している。この化粧カバー１７０によってユニット家具１０に左右に並列して組み込まれている支柱１４２(図１参照)の中間高さ部が中間収納部１３０で露出するが、この中間収納部１３０での露出部と、中間収納部１３０の全体とを正面より覆っている。
【００４９】
即ち、上部収納ユニット１１０と下部収納ユニット１２０との間に中間収納部１３０としての空間を備えた場合、正面側Ｆから見ると、上下部は上下の収納ユニット１１０，１２０に隠れて支柱１４２は見えないが、その上下間の中間収納部１３０は空間のため露出された状態となる。よって、この中間収納部１３０に化粧カバー１７０を施せば、支柱１４２の露出部分を保護すると同時に、美観を高めることができる。
【００５０】
また、突っ張り高さ調整操作の要否に応じて化粧カバー１７０を正面より着脱できるようにしている。この化粧カバー１７０の着脱構造の一例として、支柱１４２の正面にロータリキャッチャーの凹部１７１を取り付け、この凹部１７１と対応する化粧カバー１７０の内面にロータリキャッチャーの凸部１７２を取り付けて凹凸対応させれば、化粧カバー１７０を着脱させることができる。
【００５１】
このように構成されたユニット家具１０を設置する場合、このユニット家具１０を室内の所定の壁面３００に沿って置いた後、高さ調整機構１５０の操作軸１５６を回転させてスライダ１５３を上動させ、突っ張り軸体１５５を介して平板カバー１６４を天井に当接させる。この場合、平板カバー１６４を上部収納ユニット１１０の天板よりも高くして天井に当接させるようスライダ１５３を上動させれば、床面より天井近くまで立ち上がった支柱本体１４２ａを介してスライダ１５３の上端に位置する平板カバー１６４で天井突っ張り動作させることができる。このようにして上下方向の突っ張り力を確保した後、化粧カバー１７０を取り付けてユニット家具１０の設置が完了する。
【００５２】
ここで、上部収納ユニット１１０は床面から起立する支柱本体１４２ａによってユニット家具１０は上下方向で支持されて室内の上部で安定して固定支持される。また、上部収納ユニット１１０はユニット家具１０の製作時に組み立てておいてもよく、室内への設置時に上部収納ユニット１１０を組み込むようにすることもできる。いずれにおいても、上部収納ユニット１１０に対しては、壁面３００に釘やビスなどの取付部品を取り付けずに上部収納ユニット１１０を下方から支持して簡単に設置することができる。特に、壁面３００に頼らずに設置することができるため壁材質や壁強度等の壁の影響を受けず、ユニット家具１０を設置する際の自由度が高くなり、下地を施工するなどの壁面工事を省略することができる。
【００５３】
さらに、床置きタイプとして床面からの収納ユニットの積み重ねにより室内の上部に上部収納ユニット１１０を支持するような背高のユニット家具１０でなくても上部収納ユニット１１０を室内の上部に簡単に配置できる。このため、中間収納部１３０を設けるなどの配置レイアウトの自由度が可能になり、また縦長の支柱本体１４２ａに上部収納ユニット１１０をビス止めするだけのシンプルな固定構造であり、取付部品点数や取付工数も少ないため上部収納ユニット１１０をユニット家具１０の上部に効率よく固定することができる。また、支柱本体１４２ａの上部に連結部材１４３により支持される上部収納ユニット１１０の連結部１４４の取り付け高さ位置を上下方向で変更するなどすれば、上部収納ユニット１１０の高さを所望のレイアウト高さに変更することができる。
【００５４】
さらに、ユニット家具１０を構成する際に、上部収納ユニット１１０に下部収納ユニット１２０や側部収納ユニットを組み合わせて構成すると立体的な一体感があり、床面での設置が安定するが、このようなレイアウト構成に限らず、壁面３００の上部に配置される上部収納ユニット１１０のみを下方より単独に支持する構成とすることも可能である。この場合は、立設した支柱１４２の安定化を確保するため支柱１４２の下部に底板等の脚部を付設した脚部付き支柱を用いるとよい。
【００５５】
さらに、高さ調整機構１５０はユニット家具１０に組み込まれており、この高さ調整機構１５０を用いた天井突っ張り動作により、ユニット家具１０は支柱１４２の上下で支持されて転倒防止される。このため、ユニット家具１０とは別に独立した天井突っ張り装置を併設するようなこともなく、床下や天井の工事も一切不要になる。
【００５６】
さらに、高さ調整機構１５０により天井突っ張り力の調整をする際に、高さ調整機構１５０は支柱本体１４２ａの中間高さ位置に備えられているため、作業者は床面や天井近くの操作し難い高さで調整操作するのではなく、自然な立ち姿勢で調整操作することができる好ましい高さであり、天井近くでの危険な作業や床面付近での屈み込んだ窮屈な作業が解消される。また、ユニット家具１０を壁面３００に沿って設置した後は、正面中央の中間収納部１３０に対しても化粧カバー１７０で覆っているのでユニット家具１０の美観を損なうこともない。
【００５７】
次に、ユニット家具１０全体が床面より浮き上がった状態に固定支持されるフロートタイプのユニット家具１０の一例を図７乃至図９を参照して説明する。  
【００５８】
支柱本体１４２ａの上部側に設けられたスライダ１５３は上述したようにユニット家具１０の倒れ防止を目的として設置され、天井突っ張り用に利用されている。これに対し、支柱本体１４２ａの下部側にスライダ７５３を設け、この下部側に設けられるスライダ７５３はユニット家具１０を床面から浮き上がらせるフロートタイプを目的として設置され、床面突っ張り用に利用することができる。
【００５９】
ここで、下部側のスライダ７５３および高さ調整機構７５０は、図４乃至図６で述べた上部側のスライダ１５３および高さ調整機構１５０とは上下対称に配置されているだけで構造は同じである。
【００６０】
すなわち、支柱本体１４２ａのコ形内の下部空間に、スライダ７５３と高さ調整機構７５０とを組み込んで構成したものである。支柱本体１４２ａの高さ方向中間部よりやや下側に高さ調整機構７５０が備えられている。この高さ調整機構７５０の正面側Ｆは支柱本体１４２ａのコ形開放面７５１と対向し、このコ形開放面７５１には第三者が誤って操作しないように保護カバー７５２が取り付けられている。
【００６１】
そして、支柱本体１４２ａのコ形空間には、この支柱本体１４２ａのコ形状よりも一回り小さい中空四角柱のスライダ７５３がコ形内で昇降自在にスライド許容されて収納されている。このスライダ７５３は上下方向に長く、支柱本体１４２ａのコ形の内面がスライドガイド面となる。
【００６２】
さらに、支柱本体１４２ａの下端は開放されており、この下端開放部よりスライダ７５３の下端が下方に突出し、そのスライダ７５３の底部に設けられた底板７５４よりボルト等の突っ張り軸体７５５を下方に突出させ、さらにその下面に床面突っ張り用の平板カバー７６４を配設させている。そして、このスライダ７５３の上部が後述する高さ調整機構７５０に連結され、この高さ調整機構７５０の高さ調整操作によって下部のスライダ７５３は上下方向にスライドされる。
【００６３】
上述の高さ調整機構７５０は、図８に示すように、支柱本体１４２ａの内部でスライダ７５３よりも上部の位置に内蔵され、ここにスライダ７５３の高さを調整する操作軸７５６を組み込んだものである。この操作軸７５６は横方向に回転送りさせる縦長の軸体であり、外周面はローレット掛けして回転操作を容易にしている。さらに、この操作軸７５６は上下端部に雌ねじ(図示せず)が切られており、上部を例えば右ねじ・下部を左ねじにした逆ねじ構造を有している。なお、操作軸７５６の上下端部の雌ねじ孔より内方の軸内は、ボルト逃がし用に中空形成されている。
【００６４】
そして、この操作軸７５６の上端部の右ねじ孔に右ねじボルト７５７を垂直に螺着させ、下端部の左ねじ孔に左ねじボルト７５８を垂直に螺着させている。さらに、下部の左ねじボルト７５８はスライダ７５３の上面に固定されている頂板７５９の中央部を上方より下方に向けて貫通させた状態に該頂板７５９の中央部に形成されている図示しない雌ねじ孔に螺着させている。そして、この頂板７５９の螺着部分に対し、頂板７５９の下面で左ねじボルト７５８を左ねじナット７６０で螺着固定している。
【００６５】
一方、上部の右ねじボルト７５７は、支柱本体１４２ａの中間高さ位置よりやや下側に略水平に固定設置された四角形状の支持板７６１の中央部を下方より上方に向けて貫通させた状態で該支持板７６１の中央部に形成されている図示しない雌ねじ孔に螺着させている。そして、この支持板７６１の螺着部分に対し、その螺着した右ねじボルト７５７の下部を右ねじナット７６２で螺着固定して、上部の右ねじボルト７５７をその上方の支持板７６１に連結している。
【００６６】
そして、操作軸７５６を水平方向に正回転あるいは逆回転させると、この操作軸７５６を中心に上下に取り付けられた右ねじボルト７５７と左ねじボルト７５８が上下方向で互いに引き合う方向、あるいは離れる方向に回転送りされる。つまり、上下のボルト７５７，７５８を相反する方向に同時に上下移動させる構成である。これにより、操作軸７５６の回転操作に対し、上下方向に２倍のストローク長さで効率よく高さ調整をすることが可能になる。このとき、支柱本体１４２ａに固定されている支持板７６１が上下方向の基準位置となってスライダ７５３は上動または下動する。
【００６７】
一方、スライダ７５３の底板７５４には、これより下方に突出する突っ張り軸体７５５を備えており、この突っ張り軸体７５５の下方に突出しているボルト頭が後述する床面突っ張り用の平板カバー７６４の上面に保持され、上方のボルト軸部を底板７５４に螺着させている。そして、この突っ張り軸体７５５がぐらつかないように底板７５４の上側に備えた図示しない内部ナットで螺着固定している。
【００６８】
上述の平板カバー７６４は、図７に想像線で示すように、突っ張り用の平板７６４ａと、この平板７６４ａの上面中央部に設けられた凹形状のボルト頭収納凹部７６４ｂとで構成されている。そして、ボルト頭収納凹部７６４ｂに突っ張り軸体７５５のボルト頭を真上から真下に収納させた状態で平板７６４ａを平面姿勢のまま真下に押し下げて床面ｆに当接させる床面突っ張り構造を有している。この際、平板７６４ａを床面ｆに平面対接させることにより、広い接触面積を確保して床面ｆに安定して突っ張り支持できるようにしている。なお、この平板７６４ａは矩形や円形などの広い接触面積が得られる平板形状であればよい。
【００６９】
さらに、支柱本体１４２ａの下部においても、上部収納ユニット１１０で述べた固定構造１４０（図３参照）と同構造を有してこの支柱本体１４２ａの下部側で対向する収納ユニットの背面側で背方Ｒに延出する図示しない側板の延出部分１４１に固定される固定構造１４０を有している。つまり、ユニット家具１０は支柱本体１４２ａの上部と下部とで固定されている。
【００７０】
図９は縦長で左右に並列する縦型収納ユニット９０１，９０２と、その右側の下部に横長に連設された横型収納ユニット９０３とを一体化して製作したユニット家具１０を示している。さらに、このユニット家具１０に、天井突っ張り機能（図４乃至図６）と床面突っ張り機能（図７および図８）とを備えさせてフロートタイプにした一例を示している。
【００７１】
ここに用いられるユニット家具１０は下部のスライダ７５３の下端が床面ｆに当接してユニット家具１０を支える構造となり、この下部のスライダ７５３の上下方向のストローク量によってユニット家具１０の底面を床面ｆから浮き上がらせる高さを調整するようにしている。また、支柱本体１４２ａの露出部分に対しては化粧カバー１７０が備えられる。図９では横型収納ユニット９０３の上方に支柱本体１４２ａの上部が大きく露出される露出部分を縦長の化粧カバー１７０で覆っている。
【００７２】
このように構成されたフロートタイプのユニット家具１０を設置する場合、このユニット家具１０を室内の所定の壁面３００に沿って置いた後、まず、下部の高さ調整機構７５０の操作軸７５６を回転させて下部のスライダ７５３を下動させる。この際、ユニット家具１０の底板よりも下部の平板カバー７６４を十分低くして床面ｆに当接させるよう下動させれば、ユニット家具１０は下部のスライダ７５３のスライド突出量だけ上動し、ユニット家具１０は床面ｆより浮き上がったフロート状態に支持されることになる。
【００７３】
続いて、上部の高さ調整機構１５０の操作軸１５６を回転させて上部のスライダ１５３の上部に搭載された平板カバー１６４を天井ｃに当接させる。この場合、スライダ１５３の頂部に搭載された平板カバー１６４を上部収納ユニット１１０の天板よりも高い位置にして天井ｃに当接させるようスライダ１５３を上動させれば、支柱本体１４２ａを介してスライダ１５３の上端に位置する突っ張り軸体１５５で天井突っ張り動作させることができる。
【００７４】
このように床面ｆと天井ｃとで上下方向の突っ張り力を確保することで、ユニット家具１０はフロートタイプのユニット家具１０となり、また倒れ防止機能を得ることができる。その後、露出している支柱本体１４２ａの外表面を覆うように化粧カバー１７０を取り付ければ、ユニット家具１０の設置が完了する。なお、化粧カバー１７０でユニット家具１０の正面開放部分の壁面全体を覆うようにしてもよい。
【００７５】
このフロートタイプのユニット家具１０においても、各収納ユニット９０１，９０２，９０３に対しては、壁面３００に釘やビスなどの取付部品を取り付けずに各収納ユニット９０１，９０２，９０３を固定支持して簡単に設置することができる。特に、壁面３００に頼らずに設置することができるため壁材質や壁強度等の壁の影響を受けず、ユニット家具１０を設置する際の自由度が高くなり、下地を施工するなどの壁面工事を省略することができる。
【００７６】
なお、上述した支柱本体１４２ａは強度上の観点から複数本並列設置するのが好ましく、ユニット家具１０の大きさに応じて配設本数が決められる。図９においては支柱本体１４２ａを４本並列してユニット家具１０を支持した例を示している。また、支柱本体１４２ａにフック等の係止具や支持部を付設すれば、ユニット家具１０に組み込まれる家電製品、絵画、装飾品等を効率よく取り付けることが可能になる。換言すれば、物品を単に置くだけではなく、立設状態に支持して収納する立設収納機能を持たせることができる。
【００７７】
例えば、大型薄型テレビの場合であれば、図示しないが大型薄型テレビの設置領域に大型薄型テレビの幅内に対応する左右２本の支柱本体１４２ａを並列設置させておき、これらに立設支持用の係止軸を突設させておけば、大型薄型テレビの背面に備えられている取付部、例えばＬ形状のフックを係止軸に係止させるだけで大型薄型テレビを立設状態に簡単に取り付けることができる。
【００７８】
この際、大型薄型テレビ等を立設状態に取り付ける取付手段は様々な種類があるが、いずれにしても支柱本体１４２ａが存在しているため、支柱本体１４２ａを基点として支持する取付手段を簡単に構築することができる。
【００７９】
本発明の構成と、上述の実施例の構成との対応において、本発明の構成は請求項に記載される技術思想に基づいて応用することができ、実施例の構成のみに限定されるものではない。例えば、上述の実施例では箱形状の収納ユニットを組み合わせたユニット家具１０の一例を示したが、これに限らず、ユニット家具１０を構成する際に、縦パネルと棚板のみで構成される収納ユニットを組み合わせたユニット家具１０でも適用できる。
【符号の説明】
【００８０】
１０…ユニット家具  １０２，１０３…側板  １１０…上部収納ユニット  １４０…固定構造  １４１…延出部分  １４２…支柱  １４２ａ…支柱本体  １４３…連結部材  
１４４…連結部  １５０，７５０…高さ調整機構  １５３，７５３…スライダ  １７０…化粧カバー  Ｒ…背方  Ｓ…支持具
【図１】
2013198685.tif 000003
【図２】
2013198685.tif 000004
【図３】
2013198685.tif 000005
【図４】
2013198685.tif 000006
【図５】
2013198685.tif 000007
【図６】
2013198685.tif 000008
【図７】
2013198685.tif 000009
【図８】
2013198685.tif 000010
【図９】
2013198685.tif 000011